(57)【要約】【課題】小分け用容器を使用しながら、これらの小分け用容器を収容する容器本体をなくし、容器全体としてのコストを有効に低減することができる新規な容器を提案する。【解決手段】内部に食品等の被収容物が収容される収納空間が形成されてなるとともにそれぞれ同一形状に形成された複数の容器本体２，３と、上記複数の容器本体２，３の下方から上方に内嵌挿される枠状体４と、を備え、上記各容器本体２，３は、少なくとも上部に開口２ａ，３ａを有し、下方から上方にかけて徐々に上記収容空間が広がってなるとともに、側面には、単一又は複数の逆三角形状又は逆台形状の平面部２ｄ，３ｄを有し、上記枠状体４は、樹脂フィルム又は紙等の可撓性を有する素材により中空状に形成され、上記複数の容器本体２，３を構成する上記平面部２ｄ，３ｄ同士を互いに重ねた状態で、該複数の容器本体２，３を内嵌挿した際に、内側面の略全てが該複数の容器本体２，３の外側面に接触する形状に成形されてなる。【選択図】        図３
2006298462.tif 000002
【特許請求の範囲】
【請求項１】
内部に食品等の被収容物が収容される収納空間が形成されてなるとともにそれぞれ同一形状に形成された複数の容器本体と、上記複数の容器本体の下方から上方に内嵌挿される枠状体と、を備え、
上記各容器本体は、少なくとも上部に開口を有し、下方から上方にかけて徐々に上記収容空間が広がってなるとともに、側面には、単一又は複数の逆三角形状又は逆台形状の平面部を有し、
上記枠状体は、樹脂フィルム又は紙等の可撓性を有する素材により中空状に形成され、上記複数の容器本体を構成する上記平面部同士を互いに重ねた状態で、該複数の容器本体を内嵌挿した際に、内側面の略全てが該複数の容器本体の外側面に接触する形状に成形されてなることを特徴とする容器。
【請求項２】
前記容器本体は、上部に半円状又は扇形状の開口を有し、下部には上記開口の形状よりも小さな相似形状に成形された底板部を有し、前記平面部は逆台形状に成形されてなることを特徴とする請求項１記載の容器。
【請求項３】
前記枠状体は、内側の空間が逆円錐台状となるように成形されてなるとともに、外周面には複数のリング状凸部が形成されてなることを特徴とする請求項１又は２記載の容器。
【請求項４】
前記各容器本体の上端であって前記平面部を除く部位には、それぞれ一方の係合部が形成され、前記各平面部が全て重ねられるとともに前記枠状体により一体化された際に、各容器本体に形成された全ての開口を閉塞する蓋体を備え、
この蓋体には、上記各一方の係合部に係合する他方の係合部を備えてなることを特徴とする請求項１，２又は３記載の容器。
【発明の詳細な説明】
【技術分野】
【０００１】
本発明は、例えば、ジュース，コーヒー或いはシェイク又はスープ等の飲料やパン，ジャム，バター等の食品等の被収容物を内部に収容する際に使用される容器に関するものである。
【背景技術】
【０００２】
これまで、例えばファーストフード店、コンビニエンスストア等では、ジュース，コーラ等の清涼飲料、コーヒー，ココア等或いは細かく砕かれた氷とアイスクリームとが混合されたシェイク等の飲料が販売されている。こうした飲料の殆どは、紙又は発泡スチロール等の素材により逆円錐台状に成形された容器内に収容又は充填され、上部に形成された開口を蓋体により閉塞した状態で販売されている。なお、この蓋体には、ストローが突き刺されるＸ字状のスリットが形成され、購入者はこのスリットからストローを内部に突き刺して内部の飲料を飲用する場合が多い。
【０００３】
ところで、こうした飲料等が収容される容器は、大中小等の複数のサイズのものが用意され、販売過程においては、購入者の要望に従ったサイズの容器に飲料を充填して販売する形態が採られている。しかしながら、販売されている飲料の種類は、上述したように、ジュースやコーラ等の清涼飲料以外に、コーヒーや紅茶或いはシェイク等のように、多種多様である一方、容器のサイズは大中小に限定されていることから、複数の種類の飲料（例えば、アイスコーヒーとバニラシェイク）を同時に飲用したいと考える場合には、複数の飲料を購入し、（トレーを使用しない場合には）それら（各容器）を手で持ちながら移動したり、（テーブル等がない場合には）手で持ちながら飲用したりせざるを得ず、極めて面倒であるばかりか、全部を飲用することなく廃棄されてしまうことも多い。こうした課題を解決するために、従来では、容器本体の内側に仕切り板を設け、この仕切り板により仕切られたスペースにそれぞれの飲料が独立して収容することができきる飲料（用）容器が提案されている（特許文献１参照）。
【０００４】
しかしながら、上記従来の飲料（用）容器では、従来使用されている容器をそのまま使用することができなくなるばかりか、仕切り板と容器本体との間が精密にシールされていなければならず、製造上コスト高とならざるを得ない。また、この飲料（用）容器では、容器を重ねて保管することもできない。このことは、上述した飲料ばかりではなく、バター，ジャム，パン，唐揚げ等の飲料以外の食品等においても同様である。すなわち、同時に又は一体的に若しくは前後して使用する異種の被収容物であって、互いに混ざったり触れたりする状態で収容することが適当でない被収容物を収容する場合には、上記従来の容器では、仕切り板と容器本体との間が精密にシールされていなければならず、製造上コスト高とならざるを得ないし、重ねて保存し或いは移送することができない。
【０００５】
そこで、本願出願人は、こうした課題を解決するために、小分け用容器を提案した（特許文献２参照）。この小分け用容器によれば、単一又は複数の小分け用容器を容器本体内に収容することにより、購入者が異種の被収容物をそれぞれ別個の容器で購入し又は所持する必要がないばかりではなく、異種の被収容物同士が互いに混ざったり触れたりしない状態で収容することができるとともに、各小分け用容器を重ねることも可能となる。
【特許文献１】特開２００３−２１２２４１号公報
【特許文献２】実用新案登録第３１０７８３８号公報
【発明の開示】
【発明が解決しようとする課題】
【０００６】
しかしながら、上述した小分け用容器は、基本的に、逆円錐台状に成形された外形を有する容器本体内に一つ又は複数収容して使用されるものであるが、ファーストフード店、コンビニエンスストア等では、従来の容器本体に小分け用容器を付加するものであることから、容器全体の価格からすると、従来のコストよりも高額になり、コストの低減が望まれている。
【０００７】
そこで、本発明は、上述した従来の容器が有する課題を解決するために提案されたものであって、小分け用容器を使用しながら、これらの小分け用容器を収容する容器本体をなくし、容器全体としてのコストを有効に低減することができる新規な容器を提案することを目的とするものである。
【課題を解決するための手段】
【０００８】
本発明は、上述した目的を達成するために提案されたものであり、第１の発明（請求項１記載の発明）は、内部に食品等の被収容物が収容される収納空間が形成されてなるとともにそれぞれ同一形状に形成された複数の容器本体と、上記複数の容器本体の下方から上方に内嵌挿される枠状体と、を備え、上記各容器本体は、少なくとも上部に開口を有し、下方から上方にかけて徐々に上記収容空間が広がってなるとともに、側面には、単一又は複数の逆三角形状又は逆台形状の平面部を有し、上記枠状体は、樹脂フィルム又は紙等の可撓性を有する素材により中空状に形成され、上記複数の容器本体を構成する上記平面部同士を互いに重ねた状態で、該複数の容器本体を内嵌挿した際に、内側面の略全てが該複数の容器本体の外側面に接触する形状に成形されてなることを特徴とするものである。
【０００９】
この第１の発明に係る各容器本体は、先ず、少なくとも上部に開口を有し、下方から上方にかけて徐々に上記収容空間が広がってなることが必要であり、側面には、単一又は複数の逆三角形状状又は逆台形状の平面部を有していることが必要である。したがって、必ずしも底部を備えているものに限定されない。また、上記平面部は、単一であると複数であるとを問わない。したがって、例えば、上記平面部を除いた部位の形状が略逆円錐状であっても良いし、逆円錐台状であっても良く、さらには、逆角錐状又は逆角錐台状であっても良い。また、上記容器本体の素材は、特に限定されるものではないが、成形やコストの点から樹脂或いは通水性を有さない紙を素材とすることが望ましい。但し、内部に収容される被収容物が液体ではなく、固体である場合には、必ずしも通水性を有する必要性はない。さらに、また、上記容器本体の色は、勿論、透明であるか否かに付いても特に限定されるものではない。また、この発明を構成する枠状体は、上記複数の容器本体を構成する各平面部を重ねた状態において、下方から上方に内嵌挿した際に、内側面の略全てが該複数の容器本体の外側面に接触する形状に成形されてなることが必要であり、可撓性を有する素材により成形されたものであれば良く、また透明不透明も問われるものではない。また、この枠状体は、樹脂により一体成形されているものばかりではなく、帯状に成形された樹脂製又は紙製のシート又はフィルムの両端を接着又は溶着し、リング状に成形したものであっても良い。
【００１０】
また、第２の発明（請求項２記載の発明）は、上記第１の発明において、前記容器本体は、上部に半円状又は扇形状の開口を有し、下部には上記開口の形状よりも小さな相似形状に成形された底板部を有し、前記平面部は逆台形状に成形されてなることを特徴とするものである。
【００１１】
また、第３の発明（請求項３記載の発明）は、上記第１又は第２の発明において、前記枠状体は、内側の空間が逆円錐台状となるように成形されてなるとともに、外周面には複数のリング状凸部が形成されてなることを特徴とするものである。
【００１２】
また、第４の発明（請求項４記載の発明）は、上記第１，第２又は第３の発明において、前記各容器本体の上端であって前記平面部を除く部位には、それぞれ一方の係合部が形成され、前記各平面部が全て重ねられるとともに前記枠状体により一体化された際に、各容器本体に形成された全ての開口を閉塞する蓋体を備え、この蓋体には、上記各一方の係合部に係合する他方の係合部を備えてなることを特徴とするものである。
【発明の効果】
【００１３】
上記第１の発明（請求項１記載の発明）に係る容器によれば、複数の容器本体に形成された各平面部を重ねた上で、下側から該複数の容器本体を枠状体に内嵌挿させることにより、該複数の容器本体は一体化する。したがって、従来の技術として記載したもののように、逆円錐台状の収容空間を備えた容器本体を構成要素とする必要がなく、容器全体としてのコストを有効に低減することができる。また、上記枠状体は、可撓性を有する素材により中空状に形成され、上記複数の容器本体を構成する上記平面部同士を互いに重ねた状態で、該複数の容器本体を内嵌挿した際に、内側面の略全てが該複数の容器本体の外側面に接触する形状に成形されてなることから、多数を積み重ねることが可能であることから、小スペースに多数保存することができる。
【００１４】
また、第２の発明（請求項２記載の発明）では、容器本体は、上部に半円状又は扇形状の開口を有し、下部には上記開口の形状よりも小さな相似形状に成形された底板部を有し、前記平面部は逆台形状に成形されてなることから、容器本体単体も、また枠状体により一体化された場合であっても、テーブルや机の上に載置することができる。
【００１５】
また、第３の発明（請求項３記載の発明）では、枠状体は、内側の空間が逆円錐台状となるように成形されてなるとともに、外周面には複数のリング状凸部が形成されてなることから、複数の容器本体の下側から該容器本体を内嵌挿させる際、極めて操作性が良好となるとともに、凸部により、容器本体内からの熱伝導性を低下できるので、コーヒーや紅茶等のような高温の飲料が容器本体内に収容（充填）された場合であっても把持することができ、また、アイスコーヒーやシェイク等の飲料が収容された場合には、手指の熱により上記飲料の温度が上昇し更には短時間に溶ける危険性を緩和することができる。
【００１６】
また、第４の発明（請求項４記載の発明）では、各容器本体の上端であって前記平面部を除く部位には、それぞれ一方の係合部が形成され、前記各平面部が全て重ねられるとともに前記枠状体により一体化された際に、各容器本体に形成された全ての開口を閉塞する蓋体を備え、この蓋体には、上記各一方の係合部に係合する他方の係合部を備えてなることから、各容器本体内に塵埃が侵入したり、内部に収容（充填）された飲料又は食品等の被収容物が外部にこぼれ又は脱落したりする危険性を有効に防止することができる。
【発明を実施するための最良の形態】
【００１７】
以下、本発明を実施するための最良の形態に係る容器１を、図面を参照しながら詳細に説明する。なお、この容器１は、本発明を飲料用容器に適用したものである。そこで、以下、容器１を飲料用容器１として説明する。
【００１８】
この飲料用容器１は、図１に示すように、一方の容器本体２と、他方の容器本体３と、枠状体４と、蓋体５と、から構成されている。上記一方及び他方の容器本体２，３は、それぞれ樹脂により同一形状に成形されてなるものであり、内部には、飲料が収容される収容空間が形成されている。また、これら一方及び他方の容器本体２，３の上部には、それぞれ半円状の開口２ａ，３ａが形成されており、下部には、底板部２ｂ，３ｂが形成されている。なお、上記各底板部２ｂ，３ｂは、上記各開口２ａ，３ａの形状よりも小さな相似形状に成形されている。また、これら一方及び他方の容器本体２，３は、湾曲した側板部２ｃ，３ｃと、逆台形状に成形された平面板部２ｄ，３ｄと、を備えている。なお、上記側板部２ｃ，３ｃの上端には、円弧状の係合凸部２ｅ，３ｅが形成されている。
【００１９】
また、上記枠状体４は、帯状に成形された透明な樹脂製フィルムの両端が溶着されることにより枠状に成形されてなるものであり、内側には、円錐台状の空間４ａが形成されている。なお、本実施の形態に係る飲料用容器１においては、この枠状体４は、リング状凸部４ｂとリング状凹部４ｃとが交互に形成されている（図３参照）。また、図１に示すように、上記蓋体５は、円板状に成形された蓋部５ａと、この蓋部５ａの周端から垂下してなるリング状の枠部５ｂとから構成され、上記蓋部５ａには、それぞれストロー６，７が突き刺さされるＸ字状のスリット５ｄ，５ｅが形成されている。なお、この蓋部５ａは、上記各容器本体２，３を構成する側板部２ｃ，３ｃの上端に形成された係合凸部２ｅ，３ｅに係合する係合凹部（符号は省略する。）が形成されている。
【００２０】
図２及び図３は、それぞれ上記一方の容器本体２と他方の容器本体３が、それぞれ平面板部２ｄ，３ｄ同士が重ね合わされた状態で、上記枠状体４により一体化された状態を示すものである。そこで、以下、こうした構成に係る飲料用容器１の使用方法を簡単に説明すると、購入者の要望により、２種類の飲料（例えば、ホットコーヒーとシェイク）を販売する場合には、上記一方の容器本体２と他方の容器本体３とを図２に示すように、それぞれ平面板部２ｄ，３ｄ同士が重ね合わされた状態とし、これら一方及び他方の容器本体２，３を枠状体４に内嵌挿させ、その上で、一方の容器本体２内に、図示しない一方の飲料（例えば、ホットコーヒー）を充填し、次いで、上記他方の容器本体３内に他方の飲料（例えば、シェイク）を充填する。言うまでもなく、このように一方及び他方の容器本体２，３を上記枠状体４によって一体化する前段階において、該一方の容器本体２と他方の容器本体３内にそれぞれ異なる種類の飲料を充填した後に、上記枠状体４により一体化することもできる。この場合、この実施の形態に係る一方及び他方の容器本体２，３は、それぞれ透明な樹脂により成形されていることから、充填された飲料の種類を目視し易く誤って購入者の要望と異なる種類の飲料を販売する危険性を防止することができる。そして、このように、一方及び他方の容器本体２，３内に所定の種類の飲料が充填された場合には、次いで、上記蓋体５によりそれぞれの開口２ａ，３ａを閉塞し、さらに、上記各スリット５ｄ，５ｅからストロー６，７を突き刺し購入者に提供する。
【００２１】
このように、上記実施の形態に係る飲料用容器１によれば、二種類の飲料を同時に手にして飲用することができ（或いは、同じ種類の飲料を二人で飲用することができ）、従来のように、二つの飲料をそれぞれ別個に購入し手にする必要性がなく、極めて使い勝手が良いばかりではなく、二種類の飲料を別個に購入した結果、余った飲料を廃棄することも防止することができる。しかも、こうした飲料用容器１を使用することにより、これら一方及び他方の容器本体２，３を収容する容器は不要となり、これに代えて、単に上記枠状体４を構成要素とすることで足りることから、全体の容器１全体を大幅に低コスト化することができる。さらに、上記実施の形態に係る飲料用容器１を構成する枠状体４は、フィルムにより成形され、上記リング状凸部４ｂとリング状凹部４ｃとが交互に形成されている（波状に成形されている）ことから、熱伝導率を緩和させることができるとともに、これらが指掛け部となって、滑ることなく枠状体４を上方に移動操作することができる。
【００２２】
なお、上記実施の形態に係る飲料用容器１では、二つの（一方及び他方の）容器本体２，３を構成要素としたものであるが、本発明の第２の実施の形態に係る飲料用容器１１を示す図４のように、第１ないし第３の小分け用容器１２，１３，１４と、これら第１ないし第３の容器本体１２，１３，１４を一体化する枠状体１５と、から構成されたものである。そして、上記第１ないし第３の容器本体１２・・・１４は、何れも透明な樹脂により同一形状に一体成形されてなるものであり、上部には、扇形状（約１２０度）の開口１２ａ・・・１４ａが形成されている。また、これら第１ないし第３の容器本体１２，１３，１４は、それぞれ扇形状に成形された底板部１２ｂ，１３ｂ，１４ｂと、側板部１２ｃ，１３ｃ，１４ｃと、一方及び他方の平面板部１２ｄ，１２ｅ，１３ｄ，１３ｅ，１４ｄ，１４ｅとから構成されている。上記各側板部１２ｃ，１３ｃ，１４ｃは、それぞれ湾曲してなり、本実施の形態においては、それぞれ上端外周には、該側板部１２ｃ，１３ｃ，１４ｃよりもやや大径とされた係合凸部１２ｆ，１３ｆ，１４ｆが形成されている。また、上記各一方及び他方の平面板部１２ｄ，１２ｅ，１３ｄ，１３ｅ，１４ｄ，１４ｅは、それぞれ逆台形状に成形されている。なお、第１の実施の形態で説明した蓋体等の説明は省略する。
【００２３】
上述した第２の実施の形態に係る飲料用容器１１によれば、上記第１ないし第３の容器本体１２・・・１４にそれぞれ別個の飲料又は食品を収容することができ、極めて使い勝手が良いばかりではなく、これら第１ないし第３の容器本体１２・・・１４を収容する容器を構成要素とすることなく、上記枠状体１５により該第１ないし第３の容器本体１２・・・１４を一体化することが可能であることから、製造コストや購入コストを大幅に低減することができる。
【図面の簡単な説明】
【００２４】
【図１】本発明の第１の実施の形態に係る飲料容器を分解して示す分解斜視図である。
【図２】一方及び他方の容器本体が一体化させた状態を示す平面図である。
【図３】図１に示す飲料用容器の側断面図である。
【図４】本発明の第２の実施の形態に係る飲料用容器を分解して示す分解斜視図である。
【符号の説明】
【００２５】
１    飲料用容器
２    一方の容器本体
２ａ    開口
２ｂ    底板部
２ｃ    側板部
２ｄ    平面板部
３    他方の容器本体
３ａ    開口
３ｂ    底板部
３ｃ    側板部
３ｄ    平面板部
４    枠状体
４ａ    空間
４ｂ    リング状凸部
４ｃ    リング状凹部
１１    飲料用容器
１２    第１の容器本体
１２ａ    開口
１２ｂ    底板部
１２ｃ  側板部
１２ｄ  一方の平面板部
１２ｅ  他方の平面板部
１３    第２の容器本体
１３ａ    開口
１３ｂ    底板部
１３ｃ    側板部
１３ｄ    一方の平面板部
１３ｅ    他方の平面板部
１４    第３の容器本体
１４ａ    開口
１４ｂ    底板部
１４ｃ    側板部
１４ｄ    一方の平面板部
１４ｅ    他方の平面板部
１５    枠状体
【図１】
2006298462.tif 000003
【図２】
2006298462.tif 000004
【図３】
2006298462.tif 000005
【図４】
2006298462.tif 000006